(57)【特許請求の範囲】
【請求項１】
感圧式手書き入力装置に用いられ全長を短くした状態で入力装置に収納される伸縮可能な入力ペンにおいて、軸筒と、軸筒の前部に設けられた入力チップと、軸筒内に長手方向に摺動可能に取り付けられた内軸と、内軸に取り付けられた頭冠とからなり、軸筒の内面と内軸の間に摩擦手段を設けるとともに、内軸の後部外径を軸筒の後端孔あるいは軸筒に取り付けられた係止部材の後端孔より細径に構成し、この内軸の後部を軸筒の後端より突出させ、該後部に頭冠を取り付け、更に、頭冠の外径を軸筒の後端孔あるいは軸筒に取り付けられた係止部材の後端孔より太径に構成したことを特徴とする入力ペン。
【請求項２】
摩擦手段として、内軸に弾性リングを設け、該弾性リングを軸筒の内面に摩擦接触させたことを特徴とする請求項１記載の入力ペン。
【請求項３】
内軸の凹条溝に弾性リングを取り付け、この内軸を軸筒の前端から挿入し、弾性リングを軸筒の内面に摩擦接触させ、内軸の後部を軸筒の後端から突出するとともに、軸筒の内段あるいは軸筒に取り付けられた係止部材に内軸の外段を当接させた後、軸筒の前部に入力チップを取り付け、更に、軸筒の後端孔あるいは軸筒に取り付けられた係止部材の後端孔より細径に構成された内軸の後部を軸筒の後端から突出させ、この内軸の後部に、外径が軸筒の後端孔あるいは軸筒に取り付けられた係止部材の後端孔より太径に構成された頭冠を取り付けたことを特徴とする入力ペンの製造方法。
【発明の詳細な説明】
【０００１】
【発明の属する技術分野】
本発明は、感圧方式の手書き入力装置に用いる伸縮可能な入力ペンに関するものである。
【０００２】
【従来の技術】
近年、小型の感圧式手書き入力装置は、携帯情報端末、ノート型パソコン、あるいはデジタルビデオカメラ等種々の機器に用いられている。しかし、従来の入力ペンは全長が長い為に極めて小型の感圧式手書き入力装置に収納することは不可能なため、収納時は全長が短く、入力操作時は全長が長くなる伸縮可能な入力ペンが開発された。
【０００３】
【発明が解決しようとする課題】
しかし、従来の伸縮可能な入力ペンは、軸筒内を摺動する駒と、軸筒の後端から突出する後軸を軸筒内で取り付けなければならず、目で確認することができないので、完全に取り付けられないものが生じる恐れがあった。
【０００４】
本発明は、上記課題を解消する入力ペン及びその製造方法を提供することを目的とするものである。
【０００５】
【課題を解決するための手段】
本発明は、感圧式手書き入力装置に用いられ全長を短くした状態で入力装置に収納される伸縮可能な入力ペンにおいて、軸筒と、軸筒の前部に設けられた入力チップと、軸筒内に長手方向に摺動可能に取り付けられた内軸と、内軸に取り付けられた頭冠とからなり、軸筒の内面と内軸の間に摩擦手段を設けるとともに、内軸の後部外径を軸筒の後端孔あるいは軸筒に取り付けられた係止部材の後端孔より細径に構成し、この内軸の後部を軸筒の後端より突出させ、該後部に頭冠を取り付け、更に、頭冠の外径を軸筒の後端孔あるいは軸筒に取り付けられた係止部材の後端孔より太径に構成した入力ペンを第１の要旨とし、内軸の凹条溝に弾性リングを取り付け、この内軸を軸筒の前端から挿入し、弾性リングを軸筒の内面に摩擦接触させ、内軸の後部を軸筒の後端から突出するとともに、軸筒の内段あるいは軸筒に取り付けられた係止部材に内軸の外段を当接させた後、軸筒の前部に入力チップを取り付け、更に、軸筒の後端孔あるいは軸筒に取り付けられた係止部材の後端孔より細径に構成された内軸の後部を軸筒の後端から突出させ、この内軸の後部に、外径が軸筒の後端孔あるいは軸筒に取り付けられた係止部材の後端孔より太径に構成された頭冠を取り付けた入力ペンの製造方法を第２の要旨とするものである。
【０００６】
【実施例】
以下、図１及び図２に基づいて本発明の入力ペンを説明する。尚、図１の左側を前方とし右側を後方とする。
【０００７】
図１において、ステンレスパイプ等の金属製の軸筒１の内面１Ａにシリコンオイル等の潤滑剤を塗布し、この軸筒１の後部に係止部材２を圧入固着する。
【０００８】
次に、内軸３には前端から後端に貫通した長手方向の孔３Ａが形成され、この内軸３の前端太径部３Ｂに凹条溝３Ｃを形成する。更に、凹条溝３Ｃより長手方向後方位置には、軸筒１内の空気が外部に流通するための横方向の孔３Ｄが形成される。この横方向の孔３Ｄは前記長手方向の孔３Ａに貫通する。前記凹条溝３Ｃにゴム製のＯリングからなる弾性リング４を取り付ける。この内軸３を軸筒１の前端から挿入し、前記弾性リング４を軸筒１の内面１Ａに適度の力で摩擦接触する。従って、内軸３は軸筒１に対して全長が伸びた位置や全長が短くなった位置で係止する。この内軸３の外段３Ｅを前記係止部材２に当接させ、係止部材２の後端孔より細径に構成した内軸３の後部を軸筒１の後端より突出させ、この内軸３の後部に頭冠５をネジ接着して取り付ける。この頭冠５の外径は、前記係止部材２の後端孔より太径に構成する。更に、頭冠５には紐等を取り付けるための貫通した孔５Ａが形成される。
【０００９】
更に、軸筒１の前部に合成樹脂製の前軸６を圧入固着する。この前軸６の前部孔６Ａに円周方向の凹溝６Ｂを形成する。また、合成樹脂製の入力チップ７の外周面に前端が垂直でかつ後方に行くに従って縮径された外鍔７Ａを形成する。しかも、前記前軸６の前部孔６Ａに入力チップ７を圧入固着するが、この時、前軸６の凹溝６Ｂに入力チップ７の外鍔７Ａを嵌め込むことにより、入力チップ７を強固に圧入固着する。この入力ペン７の先端部を適宜丸めて入力部７Ｂを形成する。
【００１０】
更にまた、前軸６には凹条溝６Ｃを形成し、この凹条溝６Ｃが入力装置に係合して入力ペンが入力装置に収納される。
【００１１】
次に、入力ペンの全長が伸びた図１の入力状態から入力ペンを入力装置に収納する場合には、頭冠５を押圧して内軸３を前進させる。この時、弾性リング４と軸筒１の内面１Ａが摩擦接触しているが、軸筒１の内面１Ａにはシリコンオイル等の潤滑剤が塗布されているので、内軸３は軸筒１内をスムーズに前進する。
【００１２】
しかも、軸筒１内の空気は、内軸３に形成された長手方向の孔３Ａおよび横方向の孔３Ｄを通り、更に、係止部材２の内面と内軸３の外面との間の隙間を通って外部に流出するので、軸筒１内の空気によって内軸３の前進が妨げられる恐れはない。そして、軸筒１の後端と頭冠５が当接すると図２の収納状態となり、入力ペンの全長が短くなる。従って、小型の入力装置にも容易に収納することができるものである。
また、入力ペンの全長を伸ばす場合には、頭冠５を手で保持して後退させ内軸３の外段３Ｅを係止部材２に当接させることにより、入力ペンの全長が伸長する。
【００１３】
図３は本発明の他の実施例を示すもので、図１と同一の部材は同一の符号を付してその説明を省略する。軸筒１１の後部に内段１１Ｂを一体に形成したもので、この内段１１Ｂに内軸３の外段３Ｅが当接され、軸筒１１の後部孔より細径に構成した内軸３の後部を軸筒１１の後端より突出させる。また、頭冠５の外径は、前記軸筒１１の後端孔より太径に構成する。その他の部材については図１の実施例と同様である。
【００１４】
尚、本発明は上記実施例に限定されるものではなく、軸筒の内面に摩擦接触する内軸の形状としては、内軸の前部太径部に切溝を設けて弾力を持たせても良い。この場合には、軸筒の空気が前記切溝を通って外部に流出することができる。
【００１５】
また、軸筒の内面に塗布されるシリコンオイル等の潤滑剤は、内面の全面に塗布される必要はなく、弾性リングあるいは内軸の接触部が接触する部分に塗布されていれば良い。
【００１６】
更に、内軸に設けた弾性リングと軸筒との摺動をスムーズに行う手段としては、潤滑剤を用いる他に、弾性リングをジェン系ゴムで構成し、かつその表面をゴム中のニ重結合と表面処理剤を化学的に反応させて弾性リングの表面の摩擦係数を減少させる手段も考えられる。
【００１７】
この場合の化学反応型表面処理剤としては、処理時間が短く、処理ムラが少ない点及びゴムそのものを損なわない点などを考慮すると、アフタレート（商品名）［ゼオン化学］が好ましい。
【００１８】
【発明の効果】
以上詳述した本発明の入力ペンは、入力ペンによる入力操作時は軸筒に対して後軸が長手方向後方に移動して全長が長くなり、把持し易くなる。また、入力ペンを入力装置に収納する場合には、軸筒に対して内軸が長手方向前方に移動して全長が短くなり、小型の入力装置にも容易に収納可能となる。しかも、軸筒の後端より突出する内軸の後部に頭冠を取り付けるので、頭冠の取り付けが容易になるとともに頭冠の取付不良がなくなる効果が奏せられるものである。
【図面の簡単な説明】
【図１】本発明において、入力ペンの全長が伸びた入力状態を示す断面図である。
【図２】本発明において、入力ペンの全長が短くなった収納状態を示す断面図である。
【図３】本発明における他の実施例を示す断面図である。
【符号の説明】
１  軸筒
１Ａ  軸筒１の内面
２  係止部材
３  内軸
３Ｅ  内軸３の外段
４  弾性リング
５  頭冠
７  入力チップ
【図１】
0003746718.tif 000002
【図２】
0003746718.tif 000003
【図３】
0003746718.tif 000004